(57)【特許請求の範囲】
【請求項１】
赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定して測定値データを生成する測定部と、
前記赤色レーザからの光、前記緑色レーザからの光、および前記青色レーザからの光の合成光の三刺激値ＸＹＺを前記測定値データに基づいて特定する三刺激値特定処理を実行する処理部とを備え、
前記処理部は、前記三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量に基づいて当該第２赤色光波長範囲内の光の重心波長を特定して前記赤色光代表波長とし、前記第２緑色光波長範囲内の光の各波長毎の放射量に基づいて当該第２緑色光波長範囲内の光の重心波長を特定して前記緑色光代表波長とし、かつ前記第２青色光波長範囲内の光の各波長毎の放射量に基づいて当該第２青色光波長範囲内の光の重心波長を特定して前記青色光代表波長とする測定装置。
【請求項２】
赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定して測定値データを生成する測定部と、
前記赤色レーザからの光、前記緑色レーザからの光、および前記青色レーザからの光の合成光の三刺激値ＸＹＺを前記測定値データに基づいて特定する三刺激値特定処理を実行する処理部とを備え、
前記処理部は、前記三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量のなかで最大の放射量に対して予め規定された割合の基準放射量を特定すると共に当該基準放射量を超える光の波長を平均して前記赤色光代表波長とし、前記第２緑色光波長範囲内の光の各波長毎の放射量のなかで最大の放射量に対して予め規定された割合の基準放射量を特定すると共に当該基準放射量を超える光の波長を平均して前記緑色光代表波長とし、かつ前記第２青色光波長範囲内の光の各波長毎の放射量のなかで最大の放射量に対して予め規定された割合の基準放射量を特定すると共に当該基準放射量を超える光の波長を平均して前記青色光代表波長とする測定装置。
【請求項３】
前記処理部は、前記代表波長特定処理に先立ち、前記測定部によって生成された前記測定値データの前記各波長毎の光の放射量を、前記第１波長間隔よりも狭い予め規定された第２波長間隔で補間し、補間した放射量を含む当該測定値データを用いて前記代表波長特定処理以降の各処理を実行する請求項１または２記載の測定装置。
【請求項４】
前記処理部は、前記三刺激値特定処理によって特定した前記合成光の三刺激値ＸＹＺに基づいて少なくとも当該合成光の色度を演算する第３演算処理を実行する請求項１から３のいずれかに記載の測定装置。
【請求項５】
赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定した測定値データに基づき、前記赤色レーザからの光、前記緑色レーザからの光、および前記青色レーザからの光の合成光の三刺激値ＸＹＺを特定する三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量に基づいて当該第２赤色光波長範囲内の光の重心波長を特定して前記赤色光代表波長とし、前記第２緑色光波長範囲内の光の各波長毎の放射量に基づいて当該第２緑色光波長範囲内の光の重心波長を特定して前記緑色光代表波長とし、かつ前記第２青色光波長範囲内の光の各波長毎の放射量に基づいて当該第２青色光波長範囲内の光の重心波長を特定して前記青色光代表波長とする測定方法。
【請求項６】
赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定した測定値データに基づき、前記赤色レーザからの光、前記緑色レーザからの光、および前記青色レーザからの光の合成光の三刺激値ＸＹＺを特定する三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量のなかで最大の放射量に対して予め規定された割合の基準放射量を特定すると共に当該基準放射量を超える光の波長を平均して前記赤色光代表波長とし、前記第２緑色光波長範囲内の光の各波長毎の放射量のなかで最大の放射量に対して予め規定された割合の基準放射量を特定すると共に当該基準放射量を超える光の波長を平均して前記緑色光代表波長とし、かつ前記第２青色光波長範囲内の光の各波長毎の放射量のなかで最大の放射量に対して予め規定された割合の基準放射量を特定すると共に当該基準放射量を超える光の波長を平均して前記青色光代表波長とする測定方法。
【発明の詳細な説明】
【技術分野】
【０００１】
本発明は、測定対象波長範囲内の各波長毎の光の放射量を測定して測定対象の光の三刺激値ＸＹＺを特定する測定装置および測定方法に関するものである。
【背景技術】
【０００２】
例えば、下記の特許文献には、液晶テレビの生産に際して、製品の生産拠点や開発部門において使用するホワイトバランス調整用の計測器が相違していたとしても、計測器の相違に起因するずれ分を校正して精度の高いホワイトバランス調整を可能とする方法（以下、「生産管理方法」ともいう）が開示されている。
【０００３】
この生産管理方法では、まず、開発部門において標準サンプルから基準のデータを取得する。具体的には、標準サンプルに基準映像を表示させた状態において、分光放射輝度計を用いて画面上の輝度および色度を計測しつつ、予め規定された輝度および色度となるようにホワイトバランス調整を行う。また、調整が完了したときには、その時点における計測値（輝度および色度）を示す第１の計測データを基準のデータとして取得すると共に、調整が完了した標準サンプルを生産拠点に移送する。
【０００４】
次に、生産拠点において、その拠点において生産する製品（標準サンプルと同型の液晶テレビ）のホワイトバランス調整を行う際に使用する計測器（例えば、カラーアナライザ）を用いて、開発部門から移送された標準サンプルについての計測を行う。具体的には、管理部門において上記のホワイトバランス調整を行ったときと同じ基準映像を表示させた状態において、カラーアナライザを用いて画面上の輝度および色度を計測して第２の計測データを取得する。
【０００５】
続いて、上記の第１の計測データおよび第２の計測データに基づき、生産拠点のカラーアナライザを校正するための校正用データを演算する。具体的には、第１の計測データ（分光放射輝度計の測定結果）に基づいて三刺激値ＸＹＺを演算し、かつ第２の計測データ（カラーアナライザの測定結果）に基づいて三刺激値ＸＹＺを演算すると共に、両三刺激値ＸＹＺの差異に基づいて校正用データを生成する。この後、生産拠点において生産した製品については、上記の校正用データを使用して校正したカラーアナライザを使用してホワイトバランス調整を行うことにより、開発部門において標準サンプルに対して行ったホワイトバランス調整と同様に製品のホワイトバランスを調整することが可能となる。
【先行技術文献】
【特許文献】
【０００６】
【特許文献１】特開２０１４−８７０３７号公報（第５−１１頁、第１−７図）
【発明の概要】
【発明が解決しようとする課題】
【０００７】
ところが、上記の特許文献に開示されている生産管理方法には、以下のような問題点が存在する。すなわち、上記の生産管理方法では、生産拠点においてホワイトバランス調整を行う際に使用する計測器を校正するための校正用データを生成する際に、分光放射輝度計を用いて標準サンプルから基準のデータ（第１の計測データ）を取得している。
【０００８】
この場合、液晶テレビなどの表示器の開発現場では、正確な測定結果を得ることができるように、測定対象波長範囲内の光の放射量を５ｎｍ程度の十分に狭い波長間隔（波長分解能）で測定可能な分光放射輝度計（例えばポリクロメータ方式の分光放射輝度計）が使用される。また、放射量が小さい光についても正確に測定するには、各波長毎の受光センサの感度が十分に高い分光放射輝度計を使用する必要がある。このため、表示器の開発現場などで使用される分光放射輝度計では、各波長毎の受光センサの検出可能波長範囲（実質的な感度を有する波長の範囲）が、その分光放射輝度計の波長分解能（５ｎｍ程度）よりも広くなっている。
【０００９】
具体的には、この種の分光放射輝度計では、図３に示すように、波長λｎｍの光の放射量を測定するための受光センサの相対分光感度が、実線５０ａで示すような特性となっており、波長（λ−ｄ）ｎｍの光（「ｄ」は分光放射輝度計の波長分解能に対応する波長）の放射量を測定するための受光センサの相対分光感度が、一点鎖線５０ｂで示すような特性となっており、波長（λ＋ｄ）ｎｍの光の放射量を測定するための受光センサの相対分光感度が、二点鎖線５０ｃで示すような特性となっている。この場合、同図の例では、各受光センサの感度をある程度高い感度Ａ１としていることで、それぞれの検出可能波長範囲が±５ｎｍよりも広くなっている。
【００１０】
このため、同図に示すように、波長λｎｍ用の受光センサは、波長λｎｍの光を感度Ａ１で検出するだけでなく、波長（λ−ｄ）ｎｍの光、および波長（λ＋ｄ）ｎｍの光についてもそれぞれ感度Ａ２で検出することとなる。同様にして、波長（λ−ｄ）ｎｍ用の受光センサは、波長（λ−ｄ）ｎｍの光を感度Ａ１で検出するだけでなく、波長λｎｍの光、および波長（λ−２ｄ）ｎｍの光についてもそれぞれ感度Ａ２で検出し、波長（λ＋ｄ）ｎｍ用の受光センサは、波長（λ＋ｄ）ｎｍの光を感度Ａ１で検出するだけでなく、波長λｎｍの光、および波長（λ＋２ｄ）ｎｍの光についてもそれぞれ感度Ａ２で検出することとなる。
【００１１】
したがって、この種の分光放射輝度計は、実際に入射している光の波長よりも短い波長の光や、実際に入射している光の波長よりも長い波長の光についてもある程度の放射量を有していると検出する特性（以下、このような特性を「スペクトル幅の拡がり」ともいう）を有している。また、このスペクトル幅の拡がりは、各受光センサの感度を高くするほど一層拡がる傾向がある。
【００１２】
この場合、図４に示すように、例えば白色ＬＥＤからの光を分光放射輝度計によって測定したときに、実際に出射された光の各波長毎の分光感度が実線６０ａで示すようなスペクトルのときには、分光放射輝度計における上記のスペクトル幅の拡がりの影響を含む測定結果が破線６０ｂで示すスペクトルとなり、両者が僅かに相違することとなる。しかしながら、白色ＬＥＤからの光のような連続スペクトルの光（スペクトル幅が広い光）については、上記のスペクトル幅の拡がりの影響が広い波長範囲に亘って同様に及ぶため、実際のスペクトルと測定結果のスペクトルとがほぼ同様となる。
【００１３】
したがって、スペクトル幅が広い光については、分光放射輝度計による各波長毎の測定結果（放射量）と、等色関数における各波長に対応する値とに基づいてそれぞれ演算される各波長毎の三刺激値ＸＹＺに相当する測光量がほぼ正確な値となる結果、この正確な測光量に基づいて、各波長の光の合成光の三刺激値ＸＹＺを正確に演算することができる。なお、図示および詳細な説明を省略するが、赤色ＬＥＤ、緑色ＬＥＤおよび青色ＬＥＤを備えて構成された液晶テレビからの光（各波長の光の合成光）を測定対象としたときにも、各ＬＥＤからの光のスペクトル幅が広いため、実際のスペクトルと測定結果のスペクトルとがほぼ同様となる。このため、液晶テレビからの光を測定対象としたときにも、分光放射輝度計による測定結果に基づいて演算される三刺激値ＸＹＺがある程度正確な値となる。
【００１４】
一方、今日では、赤色レーザ、緑色レーザおよび青色レーザを光源として備え、各レーザからの光（レーザ光）の合成光によって各種の映像をスクリーンに投影するレーザプロジェクタが開発されている。この場合、レーザから出射される光（レーザ光）は、そのスペクトル幅が非常に狭いことが知られている。具体的には、図４に示すように、赤色レーザからの光、緑色レーザからの光、および青色レーザから実際に出射される光のスペクトルは、それぞれ実線７０ｒａ，７０ｇａ，７０ｂａのようになっている。
【００１５】
このような、光が出射されるレーザプロジェクタについて、従来の生産管理方法に従って構成用データを生成したときに、分光放射輝度計による測定結果では、上記のスペクトル幅の拡がりに起因して、赤色レーザからの光については、破線７０ｒｂで示すスペクトルとなり、緑色レーザからの光については、破線７０ｇｂで示すスペクトルとなり、青色レーザからの光については、破線７０ｂｂで示すスペクトルとなる。
【００１６】
このように、レーザからの光のようにスペクトル幅が非常に狭い光については、上記のスペクトル幅の拡がりに起因して、実際には存在しない波長や、実際の放射量が非常に小さい波長の光がある程度の放射量を有すると検出されるため、分光放射輝度計による各波長毎の測定結果（放射量）と、等色関数における各波長に対応する値とに基づいて演算される各波長毎の三刺激値ＸＹＺに相当する測光量が不正確となる。このため、分光放射輝度計を用いて基準のデータを取得する従来の生産管理方法では、スペクトル幅が非常に狭い光について、各波長の光の合成光の三刺激値ＸＹＺを正確に演算するのが困難となり、これに起因して、正確な校正用データを生成することができないという問題点が存在する。なお、詳細な説明を省略するが、スペクトル幅の拡がりに起因する上記のような問題点は、モノクロメータ方式の分光放射輝度計を使用したときにも同様にして生じる。
【００１７】
本発明は、かかる問題点に鑑みてなされたものであり、スペクトル幅が狭い光についても各波長の光の合成光の三刺激値ＸＹＺを正確に測定し得る測定装置および測定方法を提供することを主目的とする。
【課題を解決するための手段】
【００１８】
上記目的を達成すべく、請求項１記載の測定装置は、赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定して測定値データを生成する測定部と、前記赤色レーザからの光、前記緑色レーザからの光、および前記青色レーザからの光の合成光の三刺激値ＸＹＺを前記測定値データに基づいて特定する三刺激値特定処理を実行する処理部とを備え、前記処理部は、前記三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量に基づいて当該第２赤色光波長範囲内の光の重心波長を特定して前記赤色光代表波長とし、前記第２緑色光波長範囲内の光の各波長毎の放射量に基づいて当該第２緑色光波長範囲内の光の重心波長を特定して前記緑色光代表波長とし、かつ前記第２青色光波長範囲内の光の各波長毎の放射量に基づいて当該第２青色光波長範囲内の光の重心波長を特定して前記青色光代表波長とする。
【００２０】
また、請求項２記載の測定装置は、赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定して測定値データを生成する測定部と、前記赤色レーザからの光、前記緑色レーザからの光、および前記青色レーザからの光の合成光の三刺激値ＸＹＺを前記測定値データに基づいて特定する三刺激値特定処理を実行する処理部とを備え、前記処理部は、前記三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量のなかで最大の放射量に対して予め規定された割合の基準放射量を特定すると共に当該基準放射量を超える光の波長を平均して前記赤色光代表波長とし、前記第２緑色光波長範囲内の光の各波長毎の放射量のなかで最大の放射量に対して予め規定された割合の基準放射量を特定すると共に当該基準放射量を超える光の波長を平均して前記緑色光代表波長とし、かつ前記第２青色光波長範囲内の光の各波長毎の放射量のなかで最大の放射量に対して予め規定された割合の基準放射量を特定すると共に当該基準放射量を超える光の波長を平均して前記青色光代表波長とする。
【００２２】
さらに、請求項３記載の測定装置は、請求項１または２記載の測定装置において、前記処理部は、前記代表波長特定処理に先立ち、前記測定部によって生成された前記測定値データの前記各波長毎の光の放射量を、前記第１波長間隔よりも狭い予め規定された第２波長間隔で補間し、補間した放射量を含む当該測定値データを用いて前記代表波長特定処理以降の各処理を実行する。
【００２３】
さらに、請求項４記載の測定装置は、請求項１から３のいずれかに記載の測定装置において、前記処理部は、前記三刺激値特定処理によって特定した前記合成光の三刺激値ＸＹＺに基づいて少なくとも当該合成光の色度を演算する第３演算処理を実行する。
【００２４】
また、請求項５記載の測定方法は、赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定した測定値データに基づき、前記赤色レーザからの光、前記緑色レーザからの光、および前記青色レーザからの光の合成光の三刺激値ＸＹＺを特定する三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量に基づいて当該第２赤色光波長範囲内の光の重心波長を特定して前記赤色光代表波長とし、前記第２緑色光波長範囲内の光の各波長毎の放射量に基づいて当該第２緑色光波長範囲内の光の重心波長を特定して前記緑色光代表波長とし、かつ前記第２青色光波長範囲内の光の各波長毎の放射量に基づいて当該第２青色光波長範囲内の光の重心波長を特定して前記青色光代表波長とする。
また、請求項６記載の測定方法は、赤色レーザから出力される光の第１赤色光波長範囲、緑色レーザから出力される光の第１緑色光波長範囲、および青色レーザから出力される光の第１青色光波長範囲の各波長範囲を含む測定対象波長範囲内の光の放射量を予め規定された第１波長間隔でそれぞれ測定した測定値データに基づき、前記赤色レーザからの光、前記緑色レーザからの光、および前記青色レーザからの光の合成光の三刺激値ＸＹＺを特定する三刺激値特定処理において、前記測定値データに基づき、前記第１緑色光波長範囲および前記第１青色光波長範囲を含まず、かつ前記第１赤色光波長範囲を含んで予め規定された第２赤色光波長範囲内の赤色光代表波長を特定し、前記第１赤色光波長範囲および前記第１青色光波長範囲を含まず、かつ前記第１緑色光波長範囲を含んで予め規定された第２緑色光波長範囲内の緑色光代表波長を特定すると共に、前記第１赤色光波長範囲および前記第１緑色光波長範囲を含まず、かつ前記第１青色光波長範囲を含んで予め規定された第２青色光波長範囲内の青色光代表波長を特定する代表波長特定処理と、当該代表波長特定処理の特定結果および前記測定値データに基づき、等色関数における前記赤色光代表波長に対応する値を係数として使用して前記第２赤色光波長範囲内の光の各波長毎の放射量から当該第２赤色光波長範囲内の光の各波長毎の三刺激値ＸＹＺに相当する測光量をそれぞれ演算し、等色関数における前記緑色光代表波長に対応する値を係数として使用して前記第２緑色光波長範囲内の光の各波長毎の放射量から当該第２緑色光波長範囲内の光の各波長毎の三刺激値ＸＹＺに相当する測光量をそれぞれ演算すると共に、等色関数における前記青色光代表波長に対応する値を係数として使用して前記第２青色光波長範囲内の光の各波長毎の放射量から当該第２青色光波長範囲内の光の各波長毎の三刺激値ＸＹＺに相当する測光量をそれぞれ演算する第１演算処理と、当該第１演算処理の演算結果に基づき、前記合成光の三刺激値ＸＹＺを演算する第２演算処理とを実行し、前記代表波長特定処理において、前記第２赤色光波長範囲内の光の各波長毎の放射量のなかで最大の放射量に対して予め規定された割合の基準放射量を特定すると共に当該基準放射量を超える光の波長を平均して前記赤色光代表波長とし、前記第２緑色光波長範囲内の光の各波長毎の放射量のなかで最大の放射量に対して予め規定された割合の基準放射量を特定すると共に当該基準放射量を超える光の波長を平均して前記緑色光代表波長とし、かつ前記第２青色光波長範囲内の光の各波長毎の放射量のなかで最大の放射量に対して予め規定された割合の基準放射量を特定すると共に当該基準放射量を超える光の波長を平均して前記青色光代表波長とする。
【発明の効果】
【００２５】
請求項１，２記載の測定装置、および請求項５，６記載の測定方法では、各レーザからの光の合成光の三刺激値ＸＹＺを特定する三刺激値特定処理において、第２赤色光波長範囲内の赤色光代表波長、第２緑色光波長範囲内の緑色光代表波長、および第２青色光波長範囲内の青色光代表波長をそれぞれ特定する代表波長特定処理と、等色関数における赤色光代表波長に対応する値を係数として使用して第２赤色光波長範囲内の光の各波長毎の放射量から第２赤色光波長範囲内の光の各波長毎の三刺激値ＸＹＺに相当する測光量をそれぞれ演算し、等色関数における緑色光代表波長に対応する値を係数として使用して第２緑色光波長範囲内の光の各波長毎の放射量から第２緑色光波長範囲内の光の各波長毎の三刺激値ＸＹＺに相当する測光量をそれぞれ演算すると共に、等色関数における青色光代表波長に対応する値を係数として使用して第２青色光波長範囲内の光の各波長毎の放射量から第２青色光波長範囲内の光の各波長毎の三刺激値ＸＹＺに相当する測光量をそれぞれ演算する第１演算処理と、第１演算処理の演算結果に基づき、合成光の三刺激値ＸＹＺを演算する第２演算処理とを実行する。
【００２６】
したがって、請求項１，２記載の測定装置、および請求項５，６記載の測定方法によれば、第２赤色光波長範囲、第２緑色光波長範囲および第２青色光波長範囲内の各波長毎の放射量から各波長にそれぞれ対応する値（等色関数）を係数として使用して測光量を演算する構成・方法と比較して、第２赤色光波長範囲内の全波長について赤色光代表波長に対応する値（等色関数）を係数として使用し、第２緑色光波長範囲内の全波長について緑色光代表波長に対応する値（等色関数）を係数として使用し、かつ第２青色光波長範囲内の全波長について青色光代表波長に対応する値（等色関数）を係数として使用して演算する分だけ、各代表波長から離れた波長、すなわち、実際の放射量よりも大きな値の放射量であると検出される波長についても正確な測光量に近い値を算出することができる。このため、スペクトル幅が非常に狭い光を合成した合成光について正確な三刺激値ＸＹＺを演算することができる。
【００２７】
また、請求項１記載の測定装置、および請求項５記載の測定方法によれば、代表波長特定処理において、第２赤色光波長範囲内の光の各波長毎の放射量に基づいて第２赤色光波長範囲内の光の重心波長を特定して赤色光代表波長とし、第２緑色光波長範囲内の光の各波長毎の放射量に基づいて第２緑色光波長範囲内の光の重心波長を特定して緑色光代表波長とし、かつ第２青色光波長範囲内の光の各波長毎の放射量に基づいて第２青色光波長範囲内の光の重心波長を特定して青色光代表波長とすることにより、代表波長としての重心波長に対応する値（等色関数）を係数として使用して演算される測光量のスペクトルが、実際の光のスペクトルとほぼ同様となるため、正確な測光量に基づいて正確な三刺激値ＸＹＺを測定することができる。
【００２８】
また、請求項２記載の測定装置、および請求項６記載の測定方法によれば、代表波長特定処理において、第２赤色光波長範囲内の光の各波長毎の放射量のなかで最大の放射量に対して予め規定された割合の基準放射量を特定すると共に基準放射量を超える光の波長を平均して赤色光代表波長とし、第２緑色光波長範囲内の光の各波長毎の放射量のなかで最大の放射量に対して予め規定された割合の基準放射量を特定すると共に基準放射量を超える光の波長を平均して緑色光代表波長とし、かつ第２青色光波長範囲内の光の各波長毎の放射量のなかで最大の放射量に対して予め規定された割合の基準放射量を特定すると共に基準放射量を超える光の波長を平均して青色光代表波長とすることにより、代表波長としての中心波長に対応する値（等色関数）を係数として使用して演算される測光量のスペクトルが、実際の光のスペクトルとほぼ同様となるため、正確な測光量に基づいて正確な三刺激値ＸＹＺを測定することができる。
【００３０】
さらに、請求項３記載の測定装置、およびその測定方法によれば、代表波長特定処理に先立ち、測定部によって生成された測定値データの各波長毎の光の放射量を、第１波長間隔よりも狭い予め規定された第２波長間隔で補間し、補間した放射量を含む測定値データを用いて代表波長特定処理以降の各処理を実行することにより、代表波長の特定に使用する各波長毎の放射量のスペクトルを実際のスペクトルに近付けることで、代表波長を的確に特定することができるため、第２赤色光波長範囲、第２緑色光波長範囲および第２青色光波長範囲内の各波長毎の三刺激値ＸＹＺに相当する測光量を一層正確に演算することができる結果、合成光の三刺激値ＸＹＺを一層正確に演算することができる。
【００３１】
さらに、請求項４記載の測定装置、およびその測定方法によれば、三刺激値特定処理によって特定した合成光の三刺激値ＸＹＺに基づいて少なくとも合成光の色度を演算する第３演算処理を実行することにより、正確な三刺激値ＸＹＺに基づいて正確な色度や輝度を演算することができるため、例えば、合成光の色度が所望する色度となっているか否かを正確に判断することができる。
【図面の簡単な説明】
【００３２】
【図１】測定装置１の構成図である。
【図２】測定処理１０のフローチャートである。
【図３】各受光センサの感度と検出可能波長範囲との関係について説明するための説明図である。
【図４】測定対象の光の波長と相対分光感度との関係に関する実値および測定値の相違について説明するための説明図である。
【発明を実施するための形態】
【００３３】
以下、測定装置および測定方法の実施の形態について、添付図面を参照して説明する。
【００３４】
図１に示す測定装置１は、「測定方法」に従って測定対象光の三刺激値ＸＹＺや色度を測定する「測定装置」の一例であって、測定部２、操作部３、表示部４、処理部５および記憶部６を備えて構成されている。
【００３５】
なお、本例の測定装置１では、測定モードを切り替えることにより、従来の生産管理方法において使用されている分光放射輝度計と同様にして液晶テレビ等からの光（スペクトル幅が広い光）を対象とする測定処理を実行することができるように構成されているが、本例では、レーザプロジェクタ２０における赤色レーザ２１ｒ、緑色レーザ２１ｇおよび青色レーザ２１ｂからの光（レーザ光）の合成光Ｌｒｇｂ（レーザプロジェクタ２０から出射されてスクリーンにおいて反射された合成光Ｌｒｇｂ：スペクトル幅が狭い光の一例）を測定対象光として測定処理を実行する例について説明する。また、以下の説明においては、「レーザプロジェクタ２０から出射されてスクリーンにおいて反射された光」について、単に「レーザプロジェクタ２０から出射された光」、または、「レーザプロジェクタ２０からの光」ともいう。さらに、図１では、スクリーンの図示を省略している。
【００３６】
測定部２は、「測定部」に相当し、一例として、従来の生産管理方法において使用されている分光放射輝度計（一例として、ポリクロメータ方式の分光放射輝度計）と同様に構成されて処理部５の制御に従って測定処理を実行可能に構成されている。具体的には、本例の測定装置１における測定部２は、図４に示すように、赤色レーザ２１ｒから出射される光の波長範囲Ｈｒ１（「第１赤色光波長範囲」の一例）、緑色レーザ２１ｇから出射される光の波長範囲Ｈｇ１（「第１緑色光波長範囲」の一例）、および青色レーザ２１ｂから出射される光の波長範囲Ｈｂ１（「第１青色光波長範囲」の一例）を含む波長範囲Ｈｍ（「測定対象波長範囲」の一例：本例では、４００ｎｍ〜７００ｎｍの範囲）内の光の放射量を５ｎｍの波長間隔（「予め規定された第１波長間隔」の一例）でそれぞれ測定して測定値データＤ１を生成することができるように構成されている。なお、測定部２（分光放射輝度計）の詳細な構造については公知のため、図示および説明を省略する。
【００３７】
操作部３は、後述する各種処理の条件の設定操作や、処理の開始／停止を指示する各種の操作スイッチを備え、スイッチ操作に応じた操作信号を処理部５に出力する。表示部４は、処理部５の制御に従い、測定結果表示画面（図示せず）などの各種の表示画面を表示する。
【００３８】
処理部５は、測定装置１を総括的に制御する。この処理部５は、「処理部」の一例であって、図２に示す測定処理１０を実行して合成光Ｌｒｇｂの三刺激値ＸＹＺ、色度および輝度を測定する。具体的には、処理部５は、測定部２を制御して波長範囲Ｈｍ内の各波長毎の放射量を測定させる。また、処理部５は、測定部２によって生成された測定値データＤ１を対象とする補間処理を行って測定値データＤ２を生成する。さらに、処理部５は、生成した測定値データＤ２に基づき、測光量（第２赤色光波長範囲内の光の各波長毎の三刺激値ＸＹＺに相当する値、第２緑色光波長範囲内の光の各波長毎の三刺激値ＸＹＺに相当する値、および第２青色光波長範囲内の光の各波長毎の三刺激値ＸＹＺに相当する値）を演算して測定値データＤ３を生成すると共に、生成した測定値データＤ３に基づいて合成光Ｌｒｇｂの三刺激値ＸＹＺを特定する。また、処理部５は、特定した三刺激値ＸＹＺに基づいて合成光Ｌｒｇｂの色度および輝度を特定し、それらの特定結果を示す測定結果データＤ４を生成する処理を実行する。記憶部６は、処理部５の動作プログラムや、上記の測定値データＤ１〜Ｄ３および測定結果データＤ４などを記憶する。
【００３９】
この測定装置１による三刺激値ＸＹＺや色度等の測定に際しては、まず、一例として、レーザプロジェクタ２０によってスクリーンに投影される映像を観察可能な位置に測定装置１を設置する。この際には、赤色レーザ２１ｒ、緑色レーザ２１ｇおよび青色レーザ２１ｂ（以下、これらを区別しないときには「レーザ２１」ともいう）からの光の合成光Ｌｒｇｂ（スクリーンにおいて反射された合成光Ｌｒｇｂ）が測定部２の受光部に対して入射するように受光面をスクリーンに向けて設置する。
【００４０】
次いで、レーザプロジェクタ２０の電源を投入し、ホワイトバランス調整用の映像（一例として、投影領域の全域に亘って均一な白色の映像：以下、この映像を「調整用映像」ともいう）の投影を開始させる。この際には、赤色レーザ２１ｒから図４に実線７０ｒａで示すスペクトルの光が出射され、緑色レーザ２１ｇから実線７０ｇａで示すスペクトルの光が出射されると共に、青色レーザ２１ｂから実線７０ｂａで示すスペクトルの光が出射される。
【００４１】
この状態において、操作部３の操作によって処理の開始が指示されたときに、処理部５は、図２に示す測定処理１０を開始する。この測定処理１０では、処理部５は、まず、測定部２を制御して波長範囲Ｈｍ内の各波長毎の放射量をそれぞれ測定させる（ステップ１１）。この際には、各波長毎の放射量が、図４に破線７０ｒｂ，７０ｇｂ，７０ｂｂで示すスペクトルのような値として測定され、その測定値を示す測定値データＤ１が測定部２から出力される。また、処理部５は、測定部２から出力された測定値データＤ１を記憶部６に記憶させる。
【００４２】
次いで、処理部５は、後述するステップ１３の「代表波長特定処理」に先立ち、測定値データＤ１の各測定値を補間する補間処理を実行する（ステップ１２）。具体的には、処理部５は、測定部２によって生成された測定値データＤ１の各波長毎の光の放射量を、「第１波長間隔」としての５ｎｍ間隔よりも狭い波長間隔（０．０５ｎｍ〜０．５ｎｍの範囲内の波長間隔：一例として、０．１ｎｍ間隔：「予め規定された第２波長間隔」の一例）で公知の補間方法に従って線形補間し、補間した放射量を含む測定値データＤ２を生成して記憶部６に記憶させる。
【００４３】
続いて、処理部５は、ステップ１２において生成した測定値データＤ２に基づき、測定部２によって測定された赤色光の代表波長、緑色光の代表波長、および青色光の代表波長をそれぞれ特定すると共に（「代表波長特定処理」の一例）、等色関数における各代表波長に対応する値をそれぞれ特定する（ステップ１３）。この場合、本例の測定装置１では、図４に示すように、レーザプロジェクタ２０の赤色レーザ２１ｒから出射される光の波長範囲Ｈｒ１、緑色レーザ２１ｇから出射される光の波長範囲Ｈｇ１、および青色レーザ２１ｂから出射される光の波長範囲Ｈｂ１に応じて、代表波長を特定する際に放射量を参照する波長範囲Ｈｒ２，Ｈｇ２，Ｈｂ２が予め規定されている。
【００４４】
具体的には、波長範囲Ｈｒ２は、「第２赤色光波長範囲」の一例であって、「第１緑色光波長範囲」としての波長範囲Ｈｇ１、および「第１青色光波長範囲」としての波長範囲Ｈｂ１を含まず、かつ「第１赤色光波長範囲」としての波長範囲Ｈｒ１を含むように規定されている。また、波長範囲Ｈｇ２は、「第２緑色光波長範囲」の一例であって、波長範囲Ｈｒ１，Ｈｂ１を含まず、かつ波長範囲Ｈｇ１を含むように規定されている。さらに、波長範囲Ｈｂ２は、「第２青色光波長範囲」の一例であって、波長範囲Ｈｒ１，Ｈｇ１を含まず、かつ波長範囲Ｈｂ１を含むように規定されている。
【００４５】
また、処理部５は、波長範囲Ｈｒ２内の光の各波長毎の放射量に基づいて波長範囲Ｈｒ２内の光の「重心波長」を特定し、特定した波長を赤色光の代表波長（「赤色光代表波長」の一例）とする。さらに、処理部５は、波長範囲Ｈｇ２内の光の各波長毎の放射量に基づいて波長範囲Ｈｇ２内の光の「重心波長」を特定し、特定した波長を緑色光の代表波長（「緑色光代表波長」の一例）とする。また、処理部５は、波長範囲Ｈｂ２内の光の各波長毎の放射量に基づいて波長範囲Ｈｂ２内の光の「重心波長」を特定し、特定した波長を青色光の代表波長（「青色光代表波長」の一例）とする。
【００４６】
この場合、重心を特定する対象の波長範囲（本例では、波長範囲Ｈｒ２，Ｈｇ２，Ｈｂ２）をそれぞれ「λ１〜λ２」の範囲とし、測定値データＤ２における「λ１〜λ２」の範囲内の波長間隔（本例では、０．１ｎｍ）を「ｄλ」とし、かつ各波長「λ」毎の放射量を「τ（λ）」としたときに、処理部５は、一例として、下記［数１］に示す数式に従って重心波長（重心波長）「λｇ」をそれぞれ演算する。
【００４７】
【数１】
0006502195.tif 000002
【００４８】
以上により、「代表波長特定処理」が完了し、「赤色光代表波長：λｒｇ」、「緑色光代表波長：λｇｇ」および「青色光代表波長：λｂｇ」がそれぞれ特定される。また、処理部５は、等色関数における「赤色光代表波長：λｒｇ」に対応する値、等色関数における「緑色光代表波長」λｇｇ」に対応する値、および等色関数における「青色光代表波長」λｂｇ」に対応する値をそれぞれ特定する。
【００４９】
次いで、処理部５は、測定値データＤ２、およびステップ１３において特定した等色関数における各「代表波長：λｒｇ，λｇｇ，λｂｇ」毎の値（等色関数）を係数として使用して、測定値データＤ２における波長範囲Ｈｒ２，Ｈｇ２，Ｈｂ２内の各波長毎の放射量から、波長範囲Ｈｒ２，Ｈｇ２，Ｈｂ２内の各波長毎の三刺激値ＸＹＺに相当する測光量をそれぞれ演算し（「第１演算処理」の一例：ステップ１４）、演算結果を測定値データＤ３として記憶部６に記憶させる。この場合、本例の測定装置１では、例えば、波長範囲Ｈｒ２内の最も短い波長から、波長範囲Ｈｒ２内の最も長い波長までの各波長毎に、等色関数における「赤色光代表波長：λｒｇ」に対応する値を係数として使用して放射量から測光量を演算する構成が採用されている。
【００５０】
したがって、本例の測定装置１では、「赤色光代表波長：λｒｇ」から離れている波長（すなわち、前述した「スペクトル幅の拡がり」の影響で実際の放射量よりも大きな値が検出されている波長）について、その波長に対応する値（等色関数）を係数として使用して放射量から測光量をそれぞれ演算する構成と比較して、波長範囲Ｈｒ２内のすべての波長について、比較的大きな値の放射量が測定されている「赤色光代表波長：λｒｇ（波長範囲Ｈｒ２を代表する波長）」に対応する値（等色関数）を係数として使用して放射量から測光量をそれぞれ演算する分だけ、演算される各測光量が、実際に赤色レーザ２１ｒから出射された光のスペクトルに近い値となる。
【００５１】
また、波長範囲Ｈｇ２内の各波長毎の三刺激値ＸＹＺに相当する測光量についても、波長範囲Ｈｒ２内の各測光量と同様にして、実際に緑色レーザ２１ｇから出射された光のスペクトルに近い値となり、波長範囲Ｈｂ２内の各波長毎の三刺激値ＸＹＺに相当する測光量についても、波長範囲Ｈｒ２，Ｈｇ２内の各測光量と同様にして、実際に青色レーザ２１ｂから出射された光のスペクトルに近い値となる。
【００５２】
続いて、処理部５は、各波長毎の測光量に基づき、レーザプロジェクタ２０（各レーザ２１ｒ，２１ｇ，２１ｂ）から出射された光の合成光Ｌｒｇｂの三刺激値ＸＹＺを演算する（「第２演算処理」の実行：ステップ１５）。なお、各波長毎の三刺激値ＸＹＺに相当する測光量から合成光Ｌｒｇｂの三刺激値ＸＹＺを演算する方法については公知のため、詳細な説明を省略する。この場合、本例の測定装置１では、ステップ１４において演算された各波長毎の三刺激値ＸＹＺに相当する測光量が、レーザプロジェクタ２０から実際に出射された光のスペクトルに近いスペクトルとなっている（正確な測光量が演算されている）ため、このステップ１５において演算される三刺激値ＸＹＺも正確な値となっている。以上により、「三刺激値特定処理」が完了する。
【００５３】
次いで、処理部５は、演算した三刺激値ＸＹＺに基づき、合成光Ｌｒｇｂの色度および輝度をそれぞれ演算し（「第３演算処理」の一例：ステップ１６）、その演算結果（色度および輝度）を、ステップ１５において演算した三刺激値ＸＹＺと共に測定結果データＤ４として記憶部６に記憶させた後に、この測定処理１０を終了する。なお、三刺激値ＸＹＺから色度や輝度を演算する方法については公知のため、詳細な説明を省略する。この場合、本例の測定装置１では、ステップ１５において演算された三刺激値ＸＹＺが正確な値となっているため、このステップ１６において演算される色度や輝度も正確な値となっている。
【００５４】
具体的には、例えば、従来の生産管理方法において使用されている分光放射輝度計を用いて、白色ＬＥＤからの光の色度を測定する際に、分光放射輝度計による各波長毎の測定結果（放射量）から、等色関数における各波長にそれぞれ対応する値を係数として使用して各波長毎の三刺激値ＸＹＺに相当する測光量を演算し、その測光量に基づいて白色ＬＥＤからの光（白色ＬＥＤから出射される各波長の光の合成光）の三刺激値ＸＹＺを演算して色度を演算したときには、色度の絶対値の誤差が最大で０．０００５程度となる。
【００５５】
また、従来の生産管理方法において使用されている分光放射輝度計を用いて赤色レーザ２１ｒ、緑色レーザ２１ｇおよび青色レーザ２１ｂからの光の合成光Ｌｒｇｂの色度を測定する際に、分光放射輝度計による各波長毎の測定結果（放射量）から、等色関数における各波長にそれぞれ対応する値を係数として使用して各波長毎の三刺激値ＸＹＺに相当する測光量を演算し、その測光量に基づいて合成光Ｌｒｇｂの三刺激値ＸＹＺを演算して色度を演算したときには、色度の絶対値の誤差が最大で０．００２０程度となることが確認されている。
【００５６】
さらに、例えば、波長範囲Ｈｒ２の中心の波長、波長範囲Ｈｇ２の中心の波長、および波長範囲Ｈｂ２の中心の波長をそれぞれ「赤色光代表波長」、「緑色光代表波長」および「青色光代表波長」とする構成・方法では、波長範囲Ｈｒ２内の各波長毎の放射量におけるスペクトルの頂点が波長範囲Ｈｒ２の中心の波長（赤色光代表波長）からずれた状態のとき、波長範囲Ｈｇ２内の各波長毎の放射量におけるスペクトルの頂点が波長範囲Ｈｇ２の中心の波長（緑色光代表波長）からずれた状態のとき、および波長範囲Ｈｂ２内の各波長毎の放射量におけるスペクトルの頂点が波長範囲Ｈｂ２の中心の波長（青色光代表波長）からずれた状態のときに、各「代表波長」に対応する値（等色関数）を係数として使用して演算される各波長毎の三刺激値ＸＹＺに相当する測光量のスペクトルが、実際の光のスペクトルとは相違する状態となるため、合成光Ｌｒｇｂの三刺激値ＸＹＺを正確に測定するのが困難となり、色度の絶対値の誤差がやや大きな値となる。
【００５７】
これに対して、本例の測定装置１では、赤色レーザ２１ｒ、緑色レーザ２１ｇおよび青色レーザ２１ｂからの光の合成光Ｌｒｇｂの色度を測定する際に、従来の生産管理方法において使用されている分光放射輝度計と同様に構成された測定部２の測定結果を使用しているにも拘わらず、測定部２による各波長毎の測定結果（放射量）から、等色関数における「代表波長（重心波長）：λｒｇ，λｇｇ，λｂｇ」に対応する値を係数として使用して各波長毎の三刺激値ＸＹＺに相当する測光量を演算することで、各波長毎の放射量のスペクトルにおける頂点が波長範囲Ｈｒ２，Ｈｇ２，Ｈｂ２内のいずれの位置に存在する状態であったとしても正確な測光量を演算することができる。この結果、その測光量に基づいて合成光Ｌｒｇｂの三刺激値ＸＹＺを演算して色度を演算したときに、色度の絶対値の誤差が最大で０．０００５程度と非常に小さくなることが確認されている。
【００５８】
このように、この測定装置１、およびその測定方法では、各レーザ２１からの光の合成光Ｌｒｇｂの三刺激値ＸＹＺを特定する「三刺激値特定処理」において、波長範囲Ｈｒ２内の赤色光代表波長：λｒｇ、波長範囲Ｈｇ２内の緑色光代表波長：λｇｇ、および波長範囲Ｈｂ２内の青色光代表波長：λｂｇをそれぞれ特定する「代表波長特定処理」と、等色関数における赤色光代表波長：λｒｇに対応する値を係数として使用して波長範囲Ｈｒ２内の光の各波長毎の放射量から波長範囲Ｈｒ２内の光の各波長毎の三刺激値ＸＹＺに相当する測光量をそれぞれ演算し、等色関数における緑色光代表波長：λｇｇに対応する値を係数として使用して波長範囲Ｈｇ２内の光の各波長毎の放射量から波長範囲Ｈｇ２内の光の各波長毎の三刺激値ＸＹＺに相当する測光量をそれぞれ演算すると共に、等色関数における青色光代表波長：λｂｇに対応する値を係数として使用して波長範囲Ｈｂ２内の光の各波長毎の放射量から波長範囲Ｈｂ２内の光の各波長毎の三刺激値ＸＹＺに相当する測光量をそれぞれ演算する「第１演算処理」と、「第１演算処理」の演算結果に基づき、合成光Ｌｒｇｂの三刺激値ＸＹＺを演算する「第２演算処理」とを実行する。
【００５９】
したがって、この測定装置１、およびその測定方法によれば、波長範囲Ｈｒ２，Ｈｇ２．Ｈｂ２内の各波長毎の放射量から各波長にそれぞれ対応する値（等色関数）を係数として使用して測光量を演算する構成・方法と比較して、波長範囲Ｈｒ２，Ｈｇ２．Ｈｂ２内の全波長について代表波長：λｒｇ，λｇｇ，λｂｇに対応する値（等色関数）を係数として使用して演算する分だけ、代表波長：λｒｇ，λｇｇ，λｂｇから離れた波長、すなわち、実際の放射量よりも大きな値の放射量であると検出される波長についても正確な測光量に近い値を算出することができる。このため、スペクトル幅が非常に狭い光を合成した合成光Ｌｒｇｂについて正確な三刺激値ＸＹＺを演算することができる。
【００６０】
また、この測定装置１、およびその測定方法によれば、「代表波長特定処理」において、波長範囲Ｈｒ２内の光の各波長毎の放射量に基づいて波長範囲Ｈｒ２内の光の「重心波長」を特定して赤色光代表波長：λｒｇとし、波長範囲Ｈｇ２内の光の各波長毎の放射量に基づいて波長範囲Ｈｇ２内の光の「重心波長」を特定して緑色光代表波長：λｇｇとし、かつ波長範囲Ｈｂ２内の光の各波長毎の放射量に基づいて波長範囲Ｈｂ２内の光の「重心波長」を特定して青色光代表波長：λｂｇとすることにより、「代表波長」としての「重心波長」に対応する値（等色関数）を係数として使用して演算される測光量のスペクトルが、実際の光のスペクトルとほぼ同様となるため、正確な測光量に基づいて正確な三刺激値ＸＹＺを測定することができる。
【００６１】
さらに、この測定装置１、およびその測定方法によれば、「代表波長特定処理」に先立ち、測定部によって生成された測定値データＤ１の各波長毎の光の放射量を、「第１波長間隔（本例では、５ｎｍ間隔）」よりも狭い予め規定された「第２波長間隔（本例では、０．１ｎｍ間隔）」で補間し、補間した放射量を含む測定値データＤ２を用いて「代表波長特定処理」以降の各処理を実行することにより、「代表波長」の特定に使用する各波長毎の放射量のスペクトルを実際のスペクトルに近付けることで、「代表波長」を的確に特定することができるため、波長範囲Ｈｒ２，Ｈｇ２，Ｈｂ２内の各波長毎の三刺激値ＸＹＺに相当する測光量を一層正確に演算することができる結果、合成光Ｌｒｇｂの三刺激値ＸＹＺを一層正確に演算することができる。
【００６２】
さらに、この測定装置１、およびその測定方法によれば、「三刺激値特定処理」によって特定した合成光Ｌｒｇｂの三刺激値ＸＹＺに基づいて合成光Ｌｒｇｂの色度および輝度を演算する「第３演算処理」を実行することにより、正確な三刺激値ＸＹＺに基づいて正確な色度や輝度を演算することができるため、例えば、合成光Ｌｒｇｂの色度が所望する色度となっているか否かを正確に判断することができる。
【００６３】
なお、「測定装置」の構成、および「測定方法」の具体的な手順は、上記の測定装置１の構成、および測定装置１による測定方法の手順の例に限定されない。例えば、「代表波長特定処理」において、波長範囲Ｈｒ２内の「重心波長」を「赤色光代表波長：λｒｇ」とし、波長範囲Ｈｇ２内の「重心波長」を「緑色光代表波長：λｇｇ」とし、かつ波長範囲Ｈｂ２内の「重心波長」を「青色光代表波長：λｂｇ」とする構成・方法を例に挙げて説明したが、各「代表波長」は「重心波長」に限定されない。
【００６４】
例えば、上記の測定処理１０におけるステップ１２の処理に代えて、波長範囲Ｈｒ２内の光の各波長毎の放射量のなかで最大の放射量（ピーク放射量）に対して予め規定された割合の「基準放射量（一例として、ピーク放射量に対する５０％の放射量）」を特定すると共に、特定した「基準放射量」を超える光の波長を平均した波長（以下、「中心波長」ともいう）を「赤色光代表波長：λｒｇ」とする。また、波長範囲Ｈｇ２内の光の各波長毎の放射量のなかのピーク放射量に対する５０％の放射量を「基準放射量」として特定すると共に、その「基準放射量」を超える光の波長を平均した「中心波長」を「緑色光代表波長：λｇｇ」とし、かつ波長範囲Ｈｂ２内の光の各波長毎の放射量のなかのピーク放射量に対する５０％の放射量を「基準放射量」として特定すると共に、その「基準放射量」を超える光の波長を平均した「中心波長」を「青色光代表波長：λｂｇ」とする。この後、特定した各「代表波長：λｒｇ，λｇｇ，λｂｇ」に対応する値（等色関数）を係数として使用して測定値データＤ２に基づいて特定される放射量から各波長毎の三刺激値ＸＹＺに相当する測光量を演算するステップ１３以降の処理を実行する。なお、「基準放射量」は、ピーク放射量に対する５０％の放射量に限定されず、ピーク放射量に対する任意の割合の放射量を「基準放射量」とすることができる。
【００６５】
このような構成の「測定装置」、およびその「測定方法」によれば、前述した測定装置１、およびその測定方法と同様にして、「代表波長」としての「中心波長」に対応する値（等色関数）を係数として使用して演算される測光量のスペクトルが、実際の光のスペクトルとほぼ同様となるため、正確な測光量に基づいて正確な三刺激値ＸＹＺを測定することができる。
【００６６】
また、上記の測定処理１０におけるステップ１２の処理に代えて、波長範囲Ｈｒ２内の光の各波長毎の放射量のなかで最大の放射量（ピーク放射量）の波長（以下、「ピーク波長」ともいう）を「赤色光代表波長：λｒｇ」とし、波長範囲Ｈｇ２内の光の各波長毎の放射量のなかのピーク放射量の波長（ピーク波長）を「緑色光代表波長：λｇｇ」とし、かつ波長範囲Ｈｂ２内の光の各波長毎の放射量のなかのピーク放射量の波長（ピーク波長）を「青色光代表波長：λｂｇ」とする。この後、特定した各「代表波長：λｒｇ，λｇｇ，λｂｇ」に対応する値（等色関数）を係数として使用して測定値データＤ２に基づいて特定される放射量から各波長毎の三刺激値ＸＹＺに相当する測光量を演算するステップ１３以降の処理を実行する。
【００６７】
このような構成の「測定装置」、およびその「測定方法」によれば、前述した測定装置１、およびその測定方法と同様にして、「代表波長」としての「ピーク波長」に対応する値（等色関数）を係数として使用して演算される測光量のスペクトルが、実際の光のスペクトルとほぼ同様となるため、正確な測光量に基づいて正確な三刺激値ＸＹＺを測定することができる。
【００６８】
また、ステップ１２の「代表波長特定処理」に先立ち、測定部２によって生成された測定値データＤ１を補間して測定値データＤ２を生成し、生成した測定値データＤ２を使用して「代表波長特定処理」以降の各処理を実行する構成・方法を例に挙げて説明したが、例えば、「測定部」による測定処理時の波長間隔が十分に狭いときには、「測定部」によって生成された「測定値データ」を補間せずにそのまま使用して「代表波長特定処理」以降の各処理を実行する構成・方法を採用することもできる。
【００６９】
さらに、「三刺激値特定処理」によって特定した（演算した）三刺激値ＸＹＺに基づいて合成光Ｌｒｇｂの色度および輝度を特定する（演算する）構成・方法を例に挙げて説明したが、三刺激値ＸＹＺに基づいて合成光Ｌｒｇｂの色度だけを特定する（演算する）構成・方法（輝度を特定しない構成・方法）、三刺激値ＸＹＺに基づいて合成光Ｌｒｇｂの輝度だけを特定する（演算する）構成・方法（色度を特定しない構成・方法）、および三刺激値ＸＹＺに基づいて合成光Ｌｒｇｂの色度や輝度を特定しない構成・方法を採用することもできる。
【００７０】
また、ポリクロメータ方式の分光放射輝度計と同様に構成した測定部２を備えた例について説明したが、モノクロメータ方式の分光放射輝度計と同様に構成した「測定部」を備えて構成することもできる。
【符号の説明】
【００７１】
１  測定装置
２  測定部
３  操作部
４  表示部
５  処理部
６  記憶部
１０  測定処理
２０  レーザプロジェクタ
２１ｒ  赤色レーザ
２１ｇ  緑色レーザ
２１ｂ  青色レーザ
５０ａ，６０ａ，７０ｒａ，７０ｇａ，７０ｂａ  実線
５０ｂ  一点鎖線
５０ｃ  二点鎖線
６０ｂ，７０ｒｂ，７０ｇｂ，７０ｂｂ  破線
Ｄ１〜Ｄ３  測定値データ
Ｄ４  測定結果データ
Ｈｒ１，Ｈｇ１，Ｈｂ１，Ｈｒ２，Ｈｇ２，Ｈｂ２，Ｈｍ  波長範囲
Ｌｒｇｂ  合成光
【図１】
0006502195.tif 000003
【図２】
0006502195.tif 000004
【図３】
0006502195.tif 000005
【図４】
0006502195.tif 000006